(57)【要約】      （修正有）【課題】カップ状容器の底部空間に添付物品を一体的に収納・封入可能とし、かつ外圧や衝撃に対する容器の変形を防止するとともに、易開閉機能を有するカップ状容器ホルダーを提供する。【解決手段】カップ状容器の底部空間に添付物品を収納され、前記カップ状容器と前記添付物品を一体に保持するカップ状容器ホルダーにおいて、前記カップ状容器の上部開口を保持する天面部１と、この天面部１の対向する両側縁に前記カップ状容器の上部開口の一部を保持するための円弧状切り込み線２ａおよび第１の折り曲げ罫線を介して前記カップ状容器の側面を保持する側面部２が連接され、さらに前記側面部２の前記折り曲げ罫線に対向させた第２の折り曲げ罫線を介して前記カップ状容器の底部を保持する底面部３、４が連接され、前記底面部３、４の少なくとも一方には前記カップ状容器の前記添付物品を保持するための略半円形状延設片３ａが形成されている。【選択図】図１
2007230629.tif 000002
【特許請求の範囲】
【請求項１】
カップ状容器の底部空間に添付物品を収納され、前記カップ状容器と前記添付物品を一体に保持するカップ状容器ホルダーにおいて、
前記カップ状容器の上部開口を保持する天面部と、この天面部の対向する両側縁に前記カップ状容器の上部開口の一部を保持するための円弧状切り込み線および第１の折り曲げ罫線を介して前記カップ状容器の側面を保持する側面部が連接され、さらに前記側面部の前記折り曲げ罫線に対向させた第２の折り曲げ罫線を介して前記カップ状容器の底部を保持する底面部が連接され、前記底面部の少なくとも一方には前記カップ状容器の前記添付物品を保持するための略半円形状延設片が形成されていることを特徴とするカップ状容器ホルダー。
【請求項２】
前記略半円形状延設片が形成された少なくとも一方の底面部には、雌型切り込み線が形成され、他方の底面部には前記雌型切り込み線に嵌合される差し込み片が折り曲げ罫線を介して連接されていることを特徴とする請求項１記載のカップ状容器ホルダー。
【請求項３】
前記略半円形状延設片が形成された少なくとも一方の底面部には、対向する一対の山形状の雌型切り込み線が形成され、他方の底面部には前記一対の雌型切り込み線に嵌合される対向する一対の略円弧状の切り込み片が形成されていることを特徴とする請求項１記載のカップ状容器ホルダー。
【発明の詳細な説明】
【技術分野】
【０００１】
本発明は、カップ状容器の底部空間に調味料や食玩、試供品等の添付物品を一体的に収納・封入可能とし、かつ外圧や衝撃に対する容器の変形を防止するとともに、易開閉機能を有するカップ状容器ホルダーに関するものである。
【背景技術】
【０００２】
従来より、カップ状容器の内容物に添加するための調味料等や、カップ状容器に食玩や試供品等の添付物品として、カップ状容器と一体として提供する容器が開示されている。例えば、特許文献１には、カップ状容器の上部または側部に中蓋で前記添付物品を配置する空間を形成し、前記添付物品を配置後、外蓋でカップ状容器のフランジ部全体をヒートシールして一体として提供する容器が開示されている（図９参照）。
【０００３】
しかしながら、上述した前記容器には以下のような問題がある。即ち、前記添付物品のみを取り出す際には外蓋を取り外す必要があるため、前記カップ状容器の内容物が食品や使用について期限のある場合には、当該内容物の品質に影響を及ぼす恐れがある。また、前記添付物品が中蓋１枚で仕切られているため、前記カップ状容器の内容物と前記添付物品が接触し、前記内容物または前記添付物品に影響を及ぼす恐れがある。さらに、一度外蓋を取り外すと元通りに戻すことができない。
【特許文献１】実開昭５６−１６４９８０号公報
【発明の開示】
【発明が解決しようとする課題】
【０００４】
本発明は、上記の問題点を解決するためになされたものであって、添付物品のみを取り出してもカップ状容器の内容物に影響を及ぼすことなく、カップ状容器の内容物と添付物品が接触することなく、カップ状容器の底部空間に調味料や食玩、試供品等の添付物品をを一体的に収納・封入可能とし、かつ外圧や衝撃に対する容器の変形を防止するとともに、易開閉機能を有するカップ状容器ホルダーを提供することを目的とする。
【課題を解決するための手段】
【０００５】
上記の目的を達成するための解決手段として、すなわち、
請求項１に係る発明は、
カップ状容器の底部空間に添付物品を収納され、前記カップ状容器と前記添付物品を一体に保持するカップ状容器ホルダーにおいて、
前記カップ状容器の上部開口を保持する天面部と、この天面部の対向する両側縁に前記カップ状容器の上部開口の一部を保持するための円弧状切り込み線および第１の折り曲げ罫線を介して前記カップ状容器の側面を保持する側面部が連接され、さらに前記側面部の前記折り曲げ罫線に対向させた第２の折り曲げ罫線を介して前記カップ状容器の底部を保持する底面部が連接され、前記底面部の少なくとも一方には前記カップ状容器の前記添付物品を保持するための略半円形状延設片が形成されていることを特徴とするカップ状容器ホルダーである。
【０００６】
また、請求項２に係る発明は、
前記略半円形状延設片が形成された少なくとも一方の底面部には、雌型切り込み線が形成され、他方の底面部には前記雌型切り込み線に嵌合される差し込み片が折り曲げ罫線を介して連接されていることを特徴とする請求項１記載のカップ状容器ホルダーである。
【０００７】
また、請求項３に係る発明は、
前記略半円形状延設片が形成された少なくとも一方の底面部には、対向する一対の山形状の雌型切り込み線が形成され、他方の底面部には前記一対の雌型切り込み線に嵌合される対向する一対の略円弧状の切り込み片が形成されていることを特徴とする請求項１記載のカップ状容器ホルダーである。
【発明の効果】
【０００８】
本発明により、添付物品のみを取り出してもカップ状容器の内容物に影響を及ぼすことなく、カップ状容器の内容物と添付物品が接触することなく、カップ状容器の底部空間に調味料や食玩、試供品等の添付物品を一体的に収納・封入可能とし、かつ外圧や衝撃に対する容器の変形を防止するとともに、易開閉機能を有するカップ状容器ホルダーを提供することができる。
【発明を実施するための最良の形態】
【０００９】
以下、本発明の一実施形態について図面を参照して説明する。図１は、本発明のカップ状容器ホルダーの一例を示す展開状態のブランクシートの平面図である。図２は、図１で示すカップ状容器ホルダーの組立斜視図である。図３は、本発明のカップ状容器ホルダーの他の例を示す展開状態のブランクシートの平面図である。図４は、図３で示すカップ状容器ホルダーの組立斜視図である。図５は、図２で示す本発明のカップ状容器ホルダーの使用状態を示す斜視図である。図６は、図４で示す本発明のカップ状容器ホルダーの使用状態を示す斜視図である。図７は、図５で示す使用状態の本発明のカップ状容器ホルダーのＸ−Ｙ断面図である。図８は、図５で示す使用状態の本発明のカップ状容器ホルダーのＸ′−Ｙ′断面図である。図９は、従来の添付物品を収納した容器の一例を示す断面図である。
【００１０】
カップ状容器の底部空間に添付物品を収納され、前記カップ状容器と前記添付物品を一体に保持する本発明のカップ状容器ホルダーのブランクシート（Ａ）は、図１で示すように、前記カップ状容器の上部開口を保持する天面部（１）と、この天面部（１）の対向する両側縁に前記カップ状容器の上部開口の一部を保持するための円弧状切り込み線（２ａ，２ａ）および第１の折り曲げ罫線を介して前記カップ状容器の側面を保持する側面部（２，２）が連接され、さらに、前記側面部（２，２）の前記折り曲げ罫線に対向させた第２の折り曲げ罫線を介して前記カップ状容器の底部を保持する底面部（３，４）が連接され、前記底面部（３）には前記カップ状容器の添付物品保持するための略半円形状延設片（３ａ，３ａ）と対向する前記側面部（２）に内接する略矩形形状の延設片（５）が形成され、さらに、前記略半円形状延設片（３ａ，３ａ）が形成された一方の底面部（３）には雌型切り込み線（３ｂ）が形成され、他方の底面部（４）には前記雌型切り込み線（３ｂ）に嵌合される差し込み片（４ａ）が折り曲げ罫線を介して連接されている。
【００１１】
上記のブランクシートを、順次、折り曲げ罫線を介して折り曲げられて、前記略半円形状延設片（３ａ，３ａ）が形成された一方の底面部（３）の雌型切り込み線（３ｂ）に、他方の底面部（４）に形成された差し込み片（４ａ）が嵌合され、容易に組み立てられて易開閉機能を有する本発明のカップ状容器ホルダー（Ｂ）が完成する（図２参照）。
【００１２】
また、カップ状容器の底部空間に添付物品を収納され、前記カップ状容器と前記添付物品を一体に保持する本発明のカップ状容器ホルダーのブランクシート（Ｃ）は、図３で示すように、前記カップ状容器の上部開口を保持する天面部（１０）と、この天面部（１０）の対向する両側縁に前記カップ状容器の上部開口の一部を保持するための円弧状切り込み線（１２ａ，１２ａ）および第１の折り曲げ罫線を介して前記カップ状容器の側面を保持する側面部（１２，１２）が連接され、さらに、前記側面部（１２，１２）の前記折り曲げ罫線に対向させた第２の折り曲げ罫線を介して前記カップ状容器の底部を保持する底面部（１３，１４）が連接され、前記底面部（１３）には前記カップ状容器の添付物品保
持するための略半円形状延設片（１３ａ，１３ａ）と対向する前記側面部（１２）に内接する略矩形形状の延設片（１５）が形成され、さらに、前記略半円形状延設片（１３ａ，１３ａ）が形成された一方の底面部（１３）には対向する一対の雌型切り込み線（１３ｂ、１３ｂ）が形成され、他方の略円形状の底面部（１４）には前記一対の山形状の雌型切り込み線（１３ｂ、１３ｂ）に嵌合される対向する一対の略円弧状の切り込み片（１４ａ，１４ａ）が形成されている。
【００１３】
上記のブランクシートを、順次、折り曲げ罫線を介して折り曲げられて、前記略半円形状延設片（１３ａ，１３ａ）が形成された一方の底面部（１３）の前記一対の山形状の雌型切り込み線（１３ｂ、１３ｂ）に、他方の底面部（１４）に形成された一対の略円弧状の切り込み片（１４ａ，１４ａ）が嵌合され、容易に組み立てられて易開閉機能を有する本発明のカップ状容器ホルダー（Ｄ）が完成する（図４参照）。
【００１４】
本発明のカップ状容器ホルダーの底面部に設けた添付物品保持するための略半円形状延設片は、底面部における嵌合部が組立時の折り曲げや押し込み等の応力ではずれないようにするためにカップ状容器底面よりも若干大きく設計することが重要である。
【００１５】
本発明のカップ状容器ホルダーの使用状態を示す斜視図を図５および図６に示してある。カップ状容器ホルダーに設けられた一対の略半円形状延設片がカップ状容器の底部空間内に折り曲げられて収納された添付物品を保持されている。
【００１６】
また、図５で示したカップ状容器ホルダーの使用状態を示す斜視図におけるＸ−Ｙ方向およびＸ′−Ｙ′方向の断面図を各々図７、８に示してある。図７で示すように、例えば図示するようなカップ状容器（Ｅ）本体の底部空間（９）に、調味料や食玩、試供品等の添加物品（Ｆ）を収納し、カップ状容器ホルダー（Ａ）に設けられた一対の略半円形状延設片（３ａ，３ａ）がカップ状容器の底部空間（９）内に折り曲げられて、上記の一対の略半円形状延設片（３ａ，３ａ）により収納された添付物品（Ｆ）が保持される。このように、本発明のカップ状容器ホルダーは、添加物品を一体的に収納・封入可能とし、かつ外圧や衝撃に対する容器の変形を防止するとともに、易開閉機能を有するカップ状容器ホルダーである。また、添加物品のみを取り出してもカップ状容器の内容物に影響を及ぼすことなく、カップ状容器の内容物と添加物品が接触することがない。
【００１７】
本発明におけるカップ状容器ホルダーの材質は、例えば、紙やプラスチック等の材質が使用されるが特に限定されるものではない。
【００１８】
本発明におけるカップ状容器ホルダーの表面には、例えば、文字、図形、記号、絵柄、模様などの所望の印刷絵柄を通常のインキを使用して、通常の印刷法、例えば、オフセット印刷、グラビア印刷、凸版印刷、シルクスクリーン印刷、転写印刷などにより印刷層やオーバーコート層などをも適宜形成することもできる。
【図面の簡単な説明】
【００１９】
【図１】本発明のカップ状容器ホルダーの一例を示す展開状態のブランクシートの平面図である。
【図２】図１で示すカップ状容器ホルダーの組立斜視図である。
【図３】本発明のカップ状容器ホルダーの他の例を示す展開状態のブランクシートの平面図である。
【図４】図３で示すカップ状容器ホルダーの組立斜視図である。
【図５】図２で示す本発明のカップ状容器ホルダーの使用状態を示す斜視図である。
【図６】図４で示す本発明のカップ状容器ホルダーの使用状態を示す斜視図である。
【図７】図５で示す使用状態の本発明のカップ状容器ホルダーのＸ−Ｙ断面図である。
【図８】図５で示す使用状態の本発明のカップ状容器ホルダーのＸ′−Ｙ′断面図である。
【図９】従来の添付物品を収納した容器の一例を示す断面図である。
【符号の説明】
【００２０】
１、１０・・・天面部
２、１２・・・側面部
２ａ、１２ａ・・・円弧状切り込み線
３、４、１３、１４・・・底面部
３ａ、１３ａ・・・略半円形状延設片
３ｂ・・・雌型切り込み線
４ａ・・・差し込み片
５、１５・・・矩形形状延設片
９・・・カップ状容器底部空間
１３ｂ・・・山形状雌型切り込み線
１４ａ・・・略円弧状切り込み片
２０・・・容器本体
２１・・・小容器
２２・・・外蓋
２４・・・容器内容物
２３・・・添加物
Ａ、Ｃ・・・カップ状容器ホルダーブランクシート
Ｂ、Ｄ・・・カップ状容器ホルダー
Ｅ・・・カップ状容器本体
Ｆ・・・添付物品
【図１】
2007230629.tif 000003
【図２】
2007230629.tif 000004
【図３】
2007230629.tif 000005
【図４】
2007230629.tif 000006
【図５】
2007230629.tif 000007
【図６】
2007230629.tif 000008
【図７】
2007230629.tif 000009
【図８】
2007230629.tif 000010
【図９】
2007230629.tif 000011